(57)【要約】【課題】  無線ＩＣを搭載する場合であっても良好に頁を捲ることができるとともに、良好な搬送を可能とする。【解決手段】  綴目部Ｔｔを中心として開帳、或いは閉帳され、非接触でデータ処理する無線ＩＣ４３を備えて構成される通帳類Ｔにおいて、綴目部Ｔｔから反綴目部までの距離をＬとしたとき、無線ＩＣ４３は綴目部Ｔｔからの距離が０．６Ｌ以下の領域内に設けられる。【選択図】      図１２
2005122536.tif 000002
【特許請求の範囲】
【請求項１】
綴目部を中心として開帳、或いは閉帳され、非接触でデータ処理する無線ＩＣを備えて構成される通帳類において、
前記綴目部から反綴目部までの距離をＬとしたとき、
前記無線ＩＣは前記綴目部からの距離が０．６Ｌ以下の領域内に設けられたことを特徴とする通帳類。
【請求項２】
綴目部を介して綴じられる表紙及び中紙を有し、前記綴目部を中心として前記表紙及び中紙が開帳、或いは閉帳される通帳類において、
前記表紙或いは中紙に設けられ、非接触でデータ処理する無線ＩＣを備え、
前記表紙或いは中紙の綴目部から反綴目部までの距離をＬとしたとき、
前記無線ＩＣは前記綴目部からの距離が０．６Ｌ以下の領域内に設けられたことを特徴とする通帳類。
【請求項３】
前記無線ＩＣはベース材と、このベース材に設けられるＩＣモジュールを有して構成され、前記ベース材の一側部側が前記綴目部に綴じ込められたことを特徴する請求項１記載の通帳類。
【請求項４】
前記ベース材の他側部側は前記綴目部の反対側に延長され、この延長面に前記無線ＩＣと厚さがほぼ等しく、かつ、曲げこわさが低い、厚さ調整材を設けたことを特徴とする請求項３記載の通帳類。
【請求項５】
前記通帳類の表紙或いは中紙の前記無線ＩＣが設けられるエリア以外のエリアに前記無線ＩＣと厚さがほぼ等しく、かつ、曲げこわさが低い、厚さ調整材を設けたことを特徴とする請求項２記載の通帳類。
【請求項６】
前記無線ＩＣの前記綴目部に沿う方向の長さ寸法は、前記綴目部の長さ寸法と略等しいことを特徴とする請求項１又は２記載の通帳類。
【請求項７】
綴目部を介して綴じられる表紙及び中紙を有し、前記綴目部を中心として前記表紙及び中紙が開帳、或いは閉帳され、前記表紙或いは中紙に非接触でデータ処理する無線ＩＣを備え、前記表紙或いは中紙の綴目部から反綴目部までの距離をＬとしたとき、前記無線ＩＣが前記綴目部からの距離が０．６Ｌ以下の領域内に設けられる通帳類を取出す取出手段と、
この取出手段によって取出された通帳類の表紙或いは中紙を捲る捲り手段と、
この捲り手段によって捲られた表紙或いは中紙に情報を印刷する印刷手段と、
前記通帳類の無線ＩＣに対し情報処理を施す無線情報処理手段と
を具備することを特徴とする通帳類印刷装置。
【発明の詳細な説明】
【技術分野】
【０００１】
本発明は、無線ＩＣを内蔵する通帳類及びこの通帳類に印刷する通帳印刷装置に関する。
【背景技術】
【０００２】
セキュリティ情報を印刷するカード印刷物（例えばクレジットカード、健康保険証カード、電車定期券など）において、所持人情報などの特定情報が印刷される印刷物のセキュリティを考える場合、目視で確認できる印刷に加えて、ＩＣメモリを併用して電子的な情報による印刷情報の整合性を確認する事例が、最近増えている。
【０００３】
特に、ＩＣメモリに非接触ＩＣ（以下、無線ＩＣという）を採用した方式は、使用者の携帯状態が比較的自由であること、データ読み書き時の媒体保持姿勢の自由度が高いこと、接触式のコンタクト部汚れ等による不具合も回避できることなどのメリットが多く、採用例が増加している。
【発明の開示】
【発明が解決しようとする課題】
【０００４】
ところで、通帳類への無線ＩＣの搭載方法は、従来の無線ＩＣカードの延長線上にあり、曲げこわさが高い状態でそのまま綴じ込まれたり、貼り付けられたりしている。
【０００５】
一方、通帳類の自動発行機において、無線ＩＣが搭載された通帳類の普及はこれからだが、上記のＩＣカードがそのまま綴じ込まれたような通帳類では、表紙や頁の自動頁捲り動作や装置内でのカーブした搬送路において、高い曲げこわさに起因する不具合が予想される。
【０００６】
即ち、自動捲り動作時に表紙や頁を捲れなかったり、カーブした搬送路においては詰まってしまうといった不都合があった。
【０００７】
本発明は上記事情に着目してなされたもので、その目的とするところは、無線ＩＣを搭載する場合であっても良好に表紙や頁を捲ることができるとともに、カーブする搬送路でも良好に搬送できるようにした通帳類及び通帳類印刷装置を提供することにある。
【課題を解決するための手段】
【０００８】
上記課題を解決するため、請求項１記載のものは、綴目部を中心として開帳、或いは閉帳され、非接触でデータ処理する無線ＩＣを備えて構成される通帳類において、前記綴目部から反綴目部までの距離をＬとしたとき、前記無線ＩＣは前記綴目部からの距離が０．６Ｌ以下の領域内に設けられる。
【０００９】
請求項２記載のものは、綴目部を介して綴じられる表紙及び中紙を有し、前記綴目部を中心として前記表紙及び中紙が開帳、或いは閉帳される通帳類において、前記表紙或いは中紙に設けられ、非接触でデータ処理する無線ＩＣを備え、前記表紙或いは中紙の綴目部から反綴目部までの距離をＬとしたとき、前記無線ＩＣは前記綴目部からの距離が０．６Ｌ以下の領域内に設けられる。
【００１０】
請求項７記載のものは、綴目部を介して綴じられる表紙及び中紙を有し、前記綴目部を中心として前記表紙及び中紙が開帳、或いは閉帳され、前記表紙或いは中紙に非接触でデータ処理する無線ＩＣを備え、前記表紙或いは中紙の綴目部から反綴目部までの距離をＬとしたとき、前記無線ＩＣが前記綴目部からの距離が０．６Ｌ以下の領域内に設けられる通帳類を取出す取出手段と、この取出手段によって取出された通帳類の表紙或いは中紙を捲る捲り手段と、この捲り手段によって捲られた表紙或いは中紙に情報を印刷する印刷手段と、前記通帳類の無線ＩＣに対し情報処理を施す無線情報処理手段とを具備する。
【発明の効果】
【００１１】
本発明は、通帳類の綴目部から反綴目部までの距離をＬとしたとき、綴目部からの距離が０．６Ｌ以下のエリア内に無線ＩＣを設けるため、良好に頁を捲ることが可能になるとともに、カーブした搬送路においても良好な搬送が可能となる。
【発明を実施するための最良の形態】
【００１２】
以下、本発明を図面に示す実施の形態を参照して詳細に説明する。  
図１は本発明の一実施の形態である通帳類印刷装置１を示す全体構成図である。
【００１３】
この通帳類印刷装置１は取出手段としての通帳類取込部４を備え、この通帳類取込部４には通帳類Ｔが閉じた状態で複数冊積層されてセットされ、一冊ずつ取り込まれるようになっている。この取込まれた通帳類Ｔは搬送手段としての複数個の搬送ローラ対２によって搬送路３に沿って搬送される。搬送路３中には通帳類Ｔの搬送方向に沿って第１の読取手段としての第１のＯＣＲ読取部５、頁捲り手段としての頁捲り部６、直接印刷部７、印刷手段としての中間転写印刷部８、第２の読取手段としての第２のＯＣＲ読取部９、及び無線情報処理手段としての無線ＩＣ Ｒ／Ｗユニット１０、さらに通帳類折畳み部１４が配設されている。
【００１４】
また、搬送路３の排出端側には通帳類Ｔの排出方向を第１の方向と第２の方向に切り換える排出ゲート１１が設けられ、第１の方向には正常な通帳類Ｔを集積させる正常集積部１２、第２の方向には不良な通帳類を集積させる不良集積部１３が配設されている。
【００１５】
上記直接印刷部７と中間転写印刷部８との間の搬送路３ａ、及び中間転写印刷部８と第２のＯＣＲ読取部９との間の搬送路３ｂはカーブされている。これにより、通帳類発行機の各機構部を効率的に配置し、発行機全体の容積を減らすことを可能にしている。
【００１６】
上記した通帳類取込部４は、複数の通帳類Ｔを重ねたまま投入可能であり、制御部の指示に応じて最も下側の１冊のみがピッカ（図示しない）によって押し出され、第１のＯＣＲ読取部５の方向に取り込まれる。
【００１７】
第１のＯＣＲ読取部５は、隣の頁捲り部６で必要な頁が開かれた通帳類Ｔに初めから付与されている通帳固有のシリアル番号を、ＯＣＲで認識するものである。シリアル番号は、後述するように一定のエリアに文字で表現されている。ここでは英数字が使われている。
【００１８】
頁捲り部６は、通帳類Ｔの頁を捲る頁捲りローラ８２と、通帳類Ｔを押し上げる押し上げガイド８３を有して構成され、通帳類取込部４から取り込まれた通帳類Ｔの表表紙Ｔａを捲ったり、さらに内側の中紙をめくる機能を有する。
【００１９】
めくった頁の認識は、通帳類Ｔに当初より印刷されているバーマークを、図示しないバーマークリーダで読み取ることで行う。
【００２０】
直接印刷部７は、印刷する通帳類Ｔの印刷頁表面上に、インクリボン７ｂ、サーマルヘッド７ａの順に押し当てて、サーマルヘッド７ａが選択的に発熱することで画像や文字を印刷する。この実施の形態では、中間転写印刷部８で印刷される情報に比べて、セキュリティ度合いが低い情報を直接印刷部７によって印刷する。
【００２１】
なお、通帳類Ｔの全てが直接印刷部７で印刷されるわけではなく、また印刷される頁は、中間転写印刷部８で印刷される頁とは異なる。このため、直接印刷部７での印刷が発生した場合は、まず印刷する頁を頁捲り部６で捲り出し直接印刷を行った後に、中間転写印刷を行う頁を捲り出すために、再度頁捲り部６に搬送する。直接印刷部７で印刷される情報がない場合は、通帳類Ｔは直接印刷部７を通過する。
【００２２】
図２は、上記した中間転写印刷部８を示すものである。
【００２３】
中間転写印刷部８は機能的に情報印刷部（以下、印刷部という）１６と、オーバーコート転写部（以下、転写部という）１７とを有して構成されている。
【００２４】
印刷部１６としては熱溶融転写印刷方式のものが採用されている。即ち、サーマルヘッド１９とプラテンローラ２０に挟まれるように中間転写フィルム２１と溶融インクリボン２２を配置し、これら中間転写フィルム２１と溶融インクリボン２２によって中間転写フィルム２１の表面に情報等を印刷する。
【００２５】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００２６】
溶融インクリボン２２のベースフィルム厚やインク層厚は、印刷ドット再現性に極めて重要なパラメータであり、インクリボン総厚としては３〜２５μｍであり、望ましくは４〜１０μｍである。
【００２７】
一方、中間転写フィルム２１の後述するベースフィルムの厚さや、受像兼接着総厚は、接着性や膜切れ特性に影響を与えるパラメータであり、中間転写フィルム２１の総厚は、１０〜１００μｍであり、望ましくは２５〜５０μｍである。
【００２８】
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８５〜９７°である。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００２９】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。
【００３０】
このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００３１】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。
【００３２】
フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００３３】
また、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３４】
図３（ａ）〜（ｃ）は中間転写フィルム２１の構成を示す断面図である。
【００３５】
図３（ａ）に示す中間転写フィルム２１は、基材としてのポリエチレンテレフタレート（以下、ＰＥＴという）のフィルム２６の表面に、透明樹脂によるホログラム形成層と金属化合物の蒸着層による透明ホログラム層２８、受像層兼接着層としてのポリエステル系樹脂２９を積層したものである。
【００３６】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３７】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００３８】
その他、中間転写フィルム２１としては紫外線によって発光する蛍光発色層などの機能層を設け、転写対象への転写と同時にこれらの機能層も転写するものであってもよい。
【００３９】
図６は上記した通帳類取込部４にセットされる通帳類Ｔを開いた状態で示すものである。
【００４０】
この通帳類Ｔの表表紙Ｔａには通帳類固有情報としての通帳類固有番号４２が記録されている。また、この通帳類Ｔの裏表紙の内面側には後述するように無線ＩＣ４３が貼り付けられている。
【００４１】
図７は上記した通帳類印刷装置１の駆動制御系を示すブロック図である。
【００４２】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００４３】
印刷装置１には生成手段としての生成部５８ａ及び判別手段としての判別部５８ｂを有して構成される装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、光学式文字認識部６９、無線読取／書込部７３が配設されている。
【００４４】
上記した直接印刷画像処理部６７にはサーマルヘッド７ａの印字動作を制御するヘッド制御部６３が接続されている。中間転写画像処理部６６にはサーマルヘッド１９の印字動作を制御するヘッド制御部６４が接続されている。
【００４５】
ヒータ温度制御部６０には制御回路を介してヒートローラ３５のヒータ６５が接続されている。通帳類搬送制御部６１には制御回路を介して通帳類搬送機構２ａ、通帳類取込機構４ａ、頁検知部４ｂ、頁捲り機構６ａ及び排出ゲート制御部１１ａが接続されている。
【００４６】
画像形成制御部６２には制御回路を介して転写リボン搬送機構３２ａ、サーマルヘッド１９を移動させるヘッド移動機構１９ａ、ヒートローラ３５を回転させる回転機構３５ａが接続されている。
【００４７】
光学式文字認識部６９には第１及び第２の読取り光学系５，９が接続されている。無線ＩＣ読取／書込部７３には、無線ＩＣ Ｒ／Ｗユニット１０が接続されている。
【００４８】
次に、上記したように構成される通帳類印刷装置１の動作について説明する。
【００４９】
まず、図１に示す通帳類取込部４から通帳類Ｔが１冊のみ取出されて頁捲り部６に搬送され、ここで、通帳類Ｔの表表紙Ｔａが捲られて所定の頁が開いた状態となる。即ち，図９（ａ）に示すように通帳類Ｔの綴目部Ｔｔ側を搬送ローラ対２にクランプした状態で、捲りローラ８２と通帳押上ガイド８３を傾斜させる。このとき、通帳押上ガイド８３によって、通帳類Ｔ全体をカールさせることにより、安定した通帳類捲りが実現される。ついで、図９（ｂ）に示すように捲りローラ８２を反時計方向に回転させて、一番上位側の表紙Ｔａを捲り上げてカール状態とする。そして、ふくらました表紙Ｔａを図９（ｃ）に示すようにさらにカールさせて、はじき動作に備える。捲りローラ８２を反時計方向にさらに回転させることで、図９（ｄ）に示すように表紙Ｔａ先端を捲りローラ８２によって持ち上げる。捲りローラ８２を反時計方向にさらに回転させることで、図９（ｅ）に示すように表紙Ｔａの反発力とあわせてはじき、表紙Ｔａ先端を捲りローラ８２上側に移動する。ついで、図９（ｆ）に示すように通帳を左方向に搬送することで、図９（ｇ）に示すように通帳類Ｔの捲りを完了する。
【００５０】
この頁捲り後、第１のＯＣＲ読取部５で通帳類Ｔそれぞれに付与されている固有情報４２が読み取られ、後で詳しく述べるように認識処理される。この認識処理された固有情報４２は、セキュリティ情報に追加され、サーマルヘッド１９に転送される黒印刷データとされる。
【００５１】
一方、このときには、図２に示すように送出側リール３２から中間転写フィルム２１が繰り出され、そのホログラム位置を示すマークがセンサ３３によって検知される。このマーク検知結果を用いて中間転写フィルム２１が印刷開始位置に制御される。
【００５２】
ついで、中間転写フィルム２１の所定の位置に固有印刷情報等がサーマルヘッド１９により印刷される。印刷される情報はＹ（イエロー），Ｍ（マゼンタ），Ｃ（シアン）の三原色に加えて黒の４色重ね合せによるカラー印刷である。これら複数色の重ね合わせ印刷は、中間転写フィルム２１がサーマルヘッド１９を色数と同じ回数往復することで、重ね合わせ印刷が行われる。また、印刷される情報は、反転画像であるという特徴がある。なお、印刷色は上記４色に加えて、蛍光顔料を含んだインクなど機能性インクを付与してもよい。
【００５３】
このように固有印刷情報が印刷された中間転写フィルム２１は順方向（ヒートローラ３５の方向）に巻き取られ、図４（ａ）に示すように経路途中の転写部マーク検知センサ３９によって中間転写フィルム２１の位置が把握される。この把握結果に基づいて転写開始位置まで中間転写フィルム２１が送られる。
【００５４】
また、このとき通帳類Ｔは、転写される頁が開かれた状態で図４（ｂ）に示すように取り込まれて、ヒートローラ３５に対して決められた位置に搬送される。転写される頁は、表紙見返し頁でも、他の中紙頁でもかまわない。
【００５５】
このように互いに位置決めされた中間転写フィルム２１と通帳類Ｔの該当ベージは、図４（ｃ）に示すように円周の一部が切り欠かれた形状の金属製ヒートローラ３５の回転と共に合わされ、搬送と同時に加圧されるとともに加熱される。その後、図５に示すように通帳類Ｔに対して６０°〜１１０°の角度をもって転写フィルムベース２６が引き上げられて、固有印刷情報と受像兼接着層２９、ホログラム層２８の転写が完了し、図８に示すように固有情報４５、固有情報４２が転写されたものを含むセキュリティ情報４６及び所持人のカラー顔画像４４が転写される。転写が完了した通帳類Ｔは、図４（ｄ）に示すように頁が開かれた状態のまま次の第２のＯＣＲ読取部９に搬送される。
【００５６】
上記した第１のＯＣＲ読取部５で読み取られた通帳類Ｔの固有情報４２（この場合は文字）は光学式文字認識部６９で認識され、この認識結果が印刷装置制御部５８に送信される。印刷装置制御部５８では、データ入力制御部５０から送られてくる画像入力部５６で取得された所持人のカラー顔画像データ、操作パネル５５で入力された所持人のセキュリティ文字情報などに通帳類固有の文字情報に基づいた印刷データを加えて処理を行い、生成部５８ａで印刷データを生成し、中間転写画像処理部６８に送信する。これにより、通帳類固有情報が付与されたセキュリティ情報が中間転写フィルム２１の表面に印刷される。
【００５７】
また、第２のＯＣＲ読取部９で読み取られた固有情報４２と、固有印刷情報とは光学式文字認識部６９で認識され、この認識結果が印刷装置制御部５８に送信される。印刷装置制御部５８では、判別部５８ｂでデータの照合処理を行い、判断した結果を通帳類搬送制御部６１に送信する。
【００５８】
判別部５８ｂでのデータの照合結果で不良と判断された場合には、印刷装置制御部５８からデータ入力制御部５０に対し、作成した通帳類が不良であったことを通知する。データ入力制御部５０では作成された通帳類が不良であったという通知を受信することに基づいて再度同一の印刷処理命令を印刷装置制御部５８に送信し、自動的に通帳類の再作成を行わせる。
【００５９】
通帳類搬送・制御部６１では照合の結果から、正常通帳類であれば正常通帳類集積部１２へ搬送する。また、不良通帳類であれば不良通帳類集積部１３へ搬送するが、このとき、すぐさま不良通帳類集積部１３に通帳類Ｔを搬送して集積するのではなく、無線ＩＣ Ｒ／Ｗユニット１０にて、不良通帳類であることを知らせる旨のデータを通帳類Ｔの無線ＩＣ４３に記録してから不良通帳類集積部１３に集積する。
【００６０】
また、第２のＯＣＲ読取部９で読み取ったデータの照合結果が正しかった場合には、無線ＩＣ４３に事前に通帳類Ｔの固有情報を記録してないものと、記録しているものとで動作が異なるので、それぞれの場合の動作を分けて記述する。
【００６１】
まず、無線ＩＣ４３に対して、事前に通帳類の固有情報を記録していない場合についての動作であるが、上述した中間転写印刷部８の印刷動作で説明したように、第１のＯＣＲ読取部５で読み取った通帳類固有情報４２を光学式文字認識部６９が認識し、その認識結果を印刷装置制御部５８に送信している。従って、印刷装置制御部５８では、データ入力制御部５０から送られてきた、画像入力部５６で取得された所持人のカラー顔画像データ、操作パネル５５で入力された所持人のセキュリティ文字情報などに通帳類固有の文字情報に基づいた記録データを加えて処理を行い、無線ＩＣへの記録データを生成し、無線ＩＣ Ｒ／Ｗ制御部７３に送信する。これにより、通帳類固有情報が付与されたセキュリティ情報が無線ＩＣＲ／Ｗユニット１０にて通帳類Ｔの無線ＩＣ４３に記録（書き込み）される。
【００６２】
書き込み動作（通信）が終了したら、正常にデータが書き込めたかどうかをベリファイする。即ち、無線ＩＣ Ｒ／Ｗユニット１０は記録の終わった通帳類Ｔの無線ＩＣ４３から書き込んだデータを読み出し、送信したデータと照合を取る。照合結果が正しかった場合は正常通帳類集積部１２へ通帳類Ｔを搬送し、通帳類Ｔを集積する。
【００６３】
照合結果が正しくなかった場合は第２のＯＣＲ読取部９での照合エラーと同様に、無線ＩＣ Ｒ／Ｗユニット１０より、不良通帳類である旨を知らせるデータを通帳類Ｔの無線ＩＣ４３に記録し、不良通帳類集積部１３へ集積する。
【００６４】
また、通帳類Ｔの無線ＩＣ４３に対して、事前に通帳類の固有情報を記録している場合については、やはり、通帳類Ｔの無線ＩＣ４３へ記録するためのデータは、第１のＯＣＲ読取部５で読み取った通帳類固有情報を光学式文字認識部６９で認識し、その認識結果を印刷装置制御部５８に送信している。ここで、画像入力部５６で取得された所持人のカラー顔画像データ、操作パネル５５で入力された所持人のセキュリティ文字情報などに通帳類固有の文字情報に基づいた記録データを加えて処理を行い、無線ＩＣ４３への記録データを生成し、無線ＩＣ Ｒ／Ｗ制御部７３に送信する。
【００６５】
上記固有情報を受け取った無線ＩＣ Ｒ／Ｗ制御部７３はまず、無線ＩＣ Ｒ／Ｗユニット１０まで搬送されてきた通帳類Ｔの無線ＩＣ４３から事前に記録された通帳類固有情報を読み出し、印刷装置制御部５８から受信したデータとの照合を取る。ここで照合結果が不一致で、照合エラーが発生した場合は第１のＯＣＲ読取部５で読取りが誤認識された可能性があり、中間転写印刷部８で印刷された固有情報を含むセキュリティデータが、そもそも通帳類が持っていた固有情報と異なって印刷されてしまった可能性がある。この場合には、不良通帳類として扱い、不良通帳類集積部１３へ搬送して集積する。
【００６６】
照合結果が一致した場合は、印刷装置制御部５８から送られてきた固有情報を含むセキュリティデータを事前に無線ＩＣ４３に書き込まれた固有情報に追記もしくは上書きして書き込む。この後の動作は通帳類Ｔに内蔵された無線ＩＣ４３に固有情報が事前に書き込まれていなかった場合と同様に、正常にデータが書き込めたかどうかをベリファイする。即ち、無線ＩＣ Ｒ／Ｗユニット１０は通帳類Ｔから無線ＩＣ１０から書き込んだデータを読み出し、送信したデータと照合を取る。照合結果が正しかった場合は正常通帳類集積部１２へ通帳類を搬送し、通帳類Ｔを集積する。照合結果が正しくなかった場合は、無線ＩＣ Ｒ／Ｗユニット１０により、不良通帳類である旨を知らせるデータを通帳類Ｔの無線ＩＣ４３に記録し、不良通帳類集積部１３へ集積する。
【００６７】
ところで、上記した通帳類Ｔの捲り動作において、捲られる表紙以外の部分についても通帳類押上ガイド８３でカールさせられることが分かる。
【００６８】
この通帳類押上ガイド８３によりカールを行なうことで、頁捲り時の最上頁（ここでは表表紙Ｔａ）の移動開始搬送力を低減できるとともに、２枚捲りを防止できる等の効果がある。
【００６９】
このため、捲り対象の頁（ここでは表表紙ｔａ）の曲げこわさがある程度低いことは当然であるが、通帳類押上ガイド８３でのカールを可能にするため、表表紙Ｔａの下側の頁全体についても、カールを許容する低い曲げこわさであることが必要である。
【００７０】
次に、捲り対象の頁下側全体の曲げこわさと頁捲りの影響を確認するため行った実験結果について説明する。
【００７１】
図１０に示すように、無線ＩＣを持たない通帳類Ｔの頁捲りが行なわれる表表紙Ｔａに対し反対側に位置する裏表紙Ｔｂの内面側に、無線ＩＣを模した樹脂板（ＰＥＴ）８５を貼り付ける。図１１に示すように頁捲りが行なわれる通帳類Ｔの頁ということは、通帳発行機では印刷対象となることを指す。
【００７２】
樹脂板８５は、通帳類Ｔの綴じ目部Ｔｔ側に寄せて幅寸法Ａを２０〜９０ｍｍに変化させた。また、樹脂板８５の長さ寸法は、通帳類Ｔの綴じ目部Ｔｔの長さとほぼ等しくした。
【００７３】
以下に、実験結果を示す。
【００７４】
＜通帳類の条件＞
通帳類Ｔのサイズは１２５×９０ｍｍである。
【００７５】
通帳類Ｔは表表紙Ｔａと裏表紙Ｔｂと複数枚の中紙Ｔｎとによって構成されている。
【００７６】
表表紙Ｔａと裏表紙Ｔｂには銀行通帳用のクロス（ダイニック社マグナプレーン）が用いられている。
【００７７】
中紙Ｔｎには上質紙８０ｇ／ｍ2が用いられる。
【００７８】
樹脂板８５にはＰＥＴ５００μｍが用いられる。
【表１】
2005122536.tif 000003
【００７９】
表１は実験結果を示す
実験の結果から、通帳類Ｔの綴目部Ｔｔから４０ｍｍまでの範囲で樹脂板８５を貼り付けた場合は，表表紙Ｔａの捲り動作が成功しているが、それ以上の幅になると、捲りが出来ないことが明らかになった。
【００８０】
捲りが出来ない場合の動作では、通帳類押上ガイド８３による通帳類Ｔ全体のカールが設計値通りに変形しないためであった。
【００８１】
図１２は、上記した実験結果を考慮として通帳類Ｔに搭載する無線ＩＣの第１の配置例を示す斜視図で、図１３はその平面図である。
【００８２】
この第１の配置例では、無線ＩＣ４３を通帳類Ｔの裏表紙Ｔｂの内面側に貼り付けている。無線ＩＣ４３は、その一側緑部を通帳類Ｔの綴目部Ｔｔに対し略平行な状態で近接させ、他端緑部も綴目部Ｔｔに平行に形成されて長方形状に構成されている。
【００８３】
この無線ＩＣ４３の幅寸法Ａは、綴目部Ｔｔから反綴目部側までの距離に対して６０％以下、望ましくは４５％以下とされている。
【００８４】
図１４は、無線ＩＣ４３を示す縦断面図である。
【００８５】
図中９０は厚さ２０〜５０μｍ程度のベースフィルムで、このベースフィルム９０上には厚さが８０〜５００μｍで記憶容量が８ＫＢから１ＭＢ程度のＩＣモジュールを構成するＩＣ本体８６、及び厚さが２０〜５０μｍ程度のアンテナ部８７が配設されている。ＩＣ本体８６及びアンテナ部８７は、封止材９１によって封止されている。封止材９１の上下面部には厚さ５０〜２００μｍ程度のステンレス材やアルミニューム材等の補強用金属板９２が配置されている。
【００８６】
また、ベースフィルム９０の上下面部には、高さ調整用の樹脂板（例えばＰＥＴ等）９３が配設され、その厚みはＩＣ本体８６の厚さなどによって決定される。ＩＣ本体８６及び高さ調整用の樹脂板９３は樹脂や紙材等の表面コート材９５によって被覆される。このように構成される無線ＩＣ４３は通帳類Ｔの裏表紙Ｔｂの内面側に貼り付けられている。
【００８７】
。
【００８８】
なお、ＩＣ本体８６を補強する補強用金属板９２は耐久性に問題がなければ、ＩＣ本体８６の片面のみに設けるものであってもよい。
【００８９】
また、表面コート材９５は、ＰＥＴなどの樹脂でも、また紙材質でもかまわない。紙材質で構成することで、他の表紙内側と同じ質感を保つことが可能となり、ユーザにＩＣの存在を意識させないなどのメリットが生まれる。
【００９０】
さらに、アンテナ部８７は無線ＩＣ４３のＩＣ本体８６及び高さ調整用の樹脂板９３の配置エリア内に限られることなく、図１５及び図１６に示すように、ＩＣ本体８６及び高さ調整用の樹脂板９３の配置エリアよりも広い範囲で配置するようにしても良い。
【００９１】
本来、ＩＣ本体８６の保護を目的とする補強用金属板９２、高さ調整用の樹脂板９３を含んだ無線ＩＣ４３は曲げこわさが大きいため、通帳類全体の曲げこわさをも増加させてしまう。しかし、アンテナ部８７は一般的に薄く、曲げこわさも通帳発行機の動作に影響しない程度であるため、広い範囲での配置が可能となる。
【００９２】
なお、本実施の形態における曲げこわさは、綴じ目部Ｔｔと通帳類Ｔ先端を平行かつ直線状に保ち、頁中央を凸にする一般的なカール方向に関する、曲げに対する抵抗性を表す。一般的に、曲げこわさは紙一枚に対しての物理量として用いられるが、通帳類全体に対しても同様の理解で「曲げこわさ」を表現している。
【００９３】
図１７は無線ＩＣ４３の第２の配置例を示す斜視図で、図１８はその断面図である。
【００９４】
上記した第１の配置例では、通帳類Ｔの裏表紙Ｔｂの内面側に無線ＩＣ４３を貼り付けたが、この第２の配置例では、無線ＩＣ４３を構成するベースフィルム９０を延長して通帳類Ｔの綴目部Ｔｔに綴じ込み、通帳類Ｔの１頁を構成している。
【００９５】
ここでは、ベースフィルム９０を通帳類Ｔの綴目部Ｔｔと反対側にも伸ばしてアンテナ部８７の配置領域を拡大している。なお、ベースフィルム９０を延長して通帳類Ｔの綴目部Ｔｔに綴じ込むことなく、通帳類Ｔの中紙Ｔｎに無線ＩＣ４３を貼り付けるようにしても良い。
【００９６】
図１９は、無線ＩＣ４３の第３の配置例を示す斜視図で、図２０はその断面図である。
【００９７】
この配置例では、無線ＩＣ４３を構成するベースフィルム９０を延長して通帳類Ｔの綴目部Ｔｔに綴じ込むことにより、通帳類の１頁とする。しかし、ベースフィルム９０を通帳類Ｔの綴目部Ｔｔと反対側に伸ばしてアンテナ部８７の配置領域を拡大することなく、ＩＣ本体８６及び高さ調整用の樹脂板９３の配置エリア内のみにアンテナ部８７を配置している。
【００９８】
図２１は無線ＩＣ４３の第４の配置例を示す斜視図で、図２２はその断面図である。
【００９９】
上記した第１の配置例では、同一頁内で無線ＩＣ４３が貼り付けられた部分以外は、一段薄い状態であった。通帳発行機の印刷方法などによっては、同一頁内を均一な高さに揃えておきたい場合がある。
【０１００】
ただし、これまでも説明したように頁捲り動作や通帳発行機内部のカーブ搬送に影響が少なくなるように、閉じた通帳類全体の曲げこわさは上げたくない。
【０１０１】
そこで、この第４の配置例では、高さ調整用樹脂板９３に比較して、曲げこわさが低い柔軟性の高さ調整材９７を裏表紙Ｐｂの内面側に設けることにより、同一頁内を均一な高さに揃えている。
【０１０２】
図２３は、無線ＩＣ４３の第５の配置例を示す斜視図である。
【０１０３】
この第５の配置例では、無線ＩＣ４３を構成するベースフィルム９０を延長して通帳類Ｔの綴目部Ｔｔに綴じ込んで通帳類Ｔの１頁とし、また、ベースフィルム９０を通帳類Ｔの綴目部Ｔｔと反対側にも伸ばしてこの部分に高さ調整用樹脂板９３に比較して、曲げこわさが低い柔軟性の高さ調整材９７を設けている。
【０１０４】
なお、アンテナ部８７やＩＣ補強用金属板９２の配置によっては、柔軟性の高さ調整材９７をベースフィルム９０両面に貼り付ける必要があるかもしれないが、いずれにしても同一頁内を均一な高さに揃えれば特に限定はなく、いずれの方法でも良い。
【０１０５】
図２４は、無線ＩＣ４３の第６の配置例を示す斜視図である。
【０１０６】
上記した各配置例では、無線ＩＣ４３を通帳類Ｔの全幅に亘って設けたが、実際には無線ＩＣ４３の形状は自由であっても良い。
【０１０７】
この第６の配置例では、無線ＩＣ４３のＩＣ本体側の厚い部分を綴目部Ｔｔ近くの幅方向片側に寄せて配置し、同一頁内の他の領域に柔軟性の高さ調整材９７を配置している。
【０１０８】
この配置例によれば、通帳類Ｔ全体の曲げこわさを低減する効果が見込まれる。
【０１０９】
ただし、綴目部Ｔｔ方向のバランスを考えた場合には欠点も予想され、特に頁捲り動作時に捲られる頁が斜めに開かれるため、はじくタイミングで捲りローラで一部だけ強い力を受けてしまうなど、綴目方向のこわさの分布が不均一になる恐れがある。
【０１１０】
図２５は無線ＩＣ４３の第７の配置例を示すものである。
【０１１１】
この第６の配置例は、無線ＩＣ４３が通帳類Ｔの中央の中紙Ｔｎに配置された場合を示し、頁捲り部６で表表紙Ｔａおよび中紙Ｔｎ１〜２枚目が捲られる。
【０１１２】
この第６の配置例では、柔軟性を有する高さ調整材９７も合わせて採用しており、通帳類Ｔを閉じたときに厚みが均一になり、発行機の通帳類取込部４や正常通帳集積部１２で複数冊が重ね合わされた時に、安定した積上げが可能になる。
【０１１３】
また、直接印刷部７での印刷を行なうときに、頁によっては無線ＩＣ４３を含む、中紙頁の上側からサーマルヘッド７ａを押し付けた動作を行なう場合があるが、この場合においても印刷面の高さが均一になり頁全域を安定して印刷することが可能になる等のメリットがある。
【０１１４】
上記したように、この実施の形態によれば、通帳類Ｔの綴目部Ｔｔから反綴目部までの距離をＬとしたとき、綴目部Ｔｔからの距離が０．６Ｌ以下となる領域内に無線ＩＣ４３を設けるため、通帳類Ｔの曲げこわさを低下させることができる。
【０１１５】
従って、無線ＩＣ４３を内蔵する通帳類Ｔの捲りが可能となり、通帳類Ｔの自動発行を行なう通帳類発行機では、通帳類の頁捲り機能を搭載することで、オペレータの作業自動化に大きく貢献することが出来る。
【０１１６】
また、通帳類発行機の各機構部を効率的に配置することで、発行機全体の容積を減らすためには、屈曲した搬送路が必要となるが、上記したように通帳類Ｔの曲げこわさを低下させることで、屈曲した搬送路での詰まり防止でき、良好な搬送が可能となる。
【０１１７】
なお、本発明は、上記一実施の形態に限られることなく、その要旨の範囲内で種々変形実施可能なことは勿論である。
【図面の簡単な説明】
【０１１８】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同転写印刷部の転写動作を示す図。
【図５】同転写印刷部の転写動作の一部を拡大して示す図。
【図６】同通帳類印刷装置で用いられる通帳類を示す平面図。
【図７】同通帳類印刷装置の制御部を示すブロック図。
【図８】同通帳類印刷装置で印刷された通帳類を示す平面図。
【図９】同通帳類印刷装置で捲られる通帳類の捲り動作を示す図。
【図１０】同通帳類に無線ＩＣを模した樹脂板を貼り付けた状態を示す斜視図。
【図１１】図１１の通帳類を示す正面図。
【図１２】同通帳類に対する無線ＩＣの第１の配置例を示す斜視図。
【図１３】図１２の通帳類を示す平面図。
【図１４】図１２の無線ＩＣを示す断面図。
【図１５】図１２の無線ＩＣのアンテナ部の他の配置例を示す図。
【図１６】図１５の無線ＩＣを示す断面図。
【図１７】無線ＩＣの第２の配置例を示す斜視図。
【図１８】図１７の無線ＩＣを示す断面図。
【図１９】無線ＩＣの第３の配置例を示す斜視図。
【図２０】図１９の無線ＩＣを示す断面図。
【図２１】無線ＩＣの第４の配置例を示す斜視図。
【図２２】図２１の無線ＩＣを示す断面図。
【図２３】無線ＩＣの第５の配置例を示す斜視図。
【図２４】無線ＩＣの第６の配置例を示す斜視図。
【図２５】無線ＩＣの第７の配置例を示す正面図。
【符号の説明】
【０１１９】
Ｔ…通帳類、Ｔｔ…綴目部、Ｔａ…表表紙、Ｔｂ…裏表紙、Ｔｎ…中紙、２…搬送ローラ対（搬送手段）、３…搬送路、４…通帳類取込部（取出手段）、６…頁捲り部（捲り手段）、７…直接印刷部（印刷手段）、８…中間転写印刷部（印刷手段）、１０…無線ＩＣ Ｒ／Ｗユニット（無線情報処理手段）、４３…無線ＩＣ、９０…ベース材と、８６…ＩＣ本体（ＩＣモジュルール）、９３…厚さ調整材。
【図１】
2005122536.tif 000004
【図２】
2005122536.tif 000005
【図３】
2005122536.tif 000006
【図４】
2005122536.tif 000007
【図５】
2005122536.tif 000008
【図６】
2005122536.tif 000009
【図７】
2005122536.tif 000010
【図８】
2005122536.tif 000011
【図９】
2005122536.tif 000012
【図１０】
2005122536.tif 000013
【図１１】
2005122536.tif 000014
【図１２】
2005122536.tif 000015
【図１３】
2005122536.tif 000016
【図１４】
2005122536.tif 000017
【図１５】
2005122536.tif 000018
【図１６】
2005122536.tif 000019
【図１７】
2005122536.tif 000020
【図１８】
2005122536.tif 000021
【図１９】
2005122536.tif 000022
【図２０】
2005122536.tif 000023
【図２１】
2005122536.tif 000024
【図２２】
2005122536.tif 000025
【図２３】
2005122536.tif 000026
【図２４】
2005122536.tif 000027
【図２５】
2005122536.tif 000028